(57)【要約】【課題】ＩＣチップに記録された通帳類に対応する固有情報を読み取る前に、ＩＣチップが正常であるか否かを事前に判別し、異常である場合には、印刷動作を停止させるようにする。【解決手段】通帳類に対応する固有情報が記録されたＩＣチップを有する通帳類Ｔを搬送する搬送手段と、この搬送手段によって搬送される通帳類ＴのＩＣチップとの間で通信し、この通信状態の良否に基づいてＩＣチップが正常、或いは異常であるかを判別し、正常であると判別するのに基づいて通帳類に対応する固有情報を読み取り、異常であると判別するのに基づいて通帳類に対応する固有情報の読み取りを停止する第１の無線ＩＣ Ｒ／Ｗ部５と、この第１の無線ＩＣ Ｒ／Ｗ部５によって読み取られた通帳類に対応する固有情報を通帳類Ｔに印刷するもので、ＩＣチップが異常であると判別されるのに基づいて該ＩＣチップを有する通帳類Ｔの印刷動作を停止する中間転写印刷部８とを具備する。【選択図】図１
2007152692.tif 000002
【特許請求の範囲】
【請求項１】
通帳類に対応する固有情報が記録されたＩＣチップを有する通帳類を搬送する搬送手段と、
この搬送手段によって搬送される前記通帳類の前記ＩＣチップとの間で通信し、この通信結果の良否に基づいて前記ＩＣチップが正常、或いは異常であるかを判別し、正常であると判別するのに基づいて前記通帳類に対応する固有情報を読み取り、異常であると判別するのに基づいて前記通帳類に対応する固有情報の読み取りを停止する無線読取手段と、
この無線読取手段によって読み取られた前記通帳類に対応する固有情報を前記通帳類に印刷するもので、前記ＩＣチップが異常であると判別されるのに基づいて該ＩＣチップを有する通帳類に対する印刷動作を停止する印刷手段と、
を具備することを特徴とする通帳類印刷装置。
【請求項２】
前記無線読取手段により前記ＩＣチップが異常であると判別された通帳類に先行する印刷途中の通帳類がある場合には、その印刷動作を継続させることを特徴とする請求項１記載の通帳類印刷装置。
【請求項３】
前記無線読取手段により前記ＩＣチップが異常であると判別されるのに基づいて前記ＩＣチップの異常を通知することを特徴とする請求項１記載の通帳類印刷装置。
【請求項４】
通帳類に対応する固有情報が記録されたＩＣチップを有する通帳類を搬送し、
この搬送される通帳類の前記ＩＣチップとの間で通信し、その通信結果の良否に基づいて前記ＩＣチップが正常、或いは異常であるかを判別し、
前記ＩＣチップが正常であると判別されるのに基づいて前記通帳類に対応する固有情報を読み取り、異常であると判別されるのに基づいて前記通帳類に対応する固有情報の読み取りを停止し、
前記通帳類に対応する固有情報が読み取られた場合には、該通帳類に対応する固有情報を前記通帳類に印刷し、前記通帳類に対応する固有情報の読み取りが停止された場合には前記通帳類に対する印刷動作を停止することを特徴とする通帳類印刷方法。
【請求項５】
前記ＩＣチップが正常でない判別された通帳類に先行する印刷途中の通帳類がある場合には、その印刷動作を継続させることを特徴とする請求項４記載の通帳類印刷方法。
【請求項６】
前記ＩＣチップが異常であると判別されるのに基づいて前記ＩＣチップの異常を通知することを特徴とする請求項４記載の通帳類印刷方法。
【発明の詳細な説明】
【技術分野】
【０００１】
本発明は、ＩＣチップを実装する通帳類の印刷装置及び印刷方法に関する。
【背景技術】
【０００２】
ＩＣチップを実装し、セキュリティ情報を含む固有記載情報が印刷される通帳類において、通帳類のセキュリティ性の重要性の向上を考える場合、固有記載情報が印刷される前の通帳類そのものの盗難とこの盗難に伴う偽変造などに対する対策が求められている。
【０００３】
その対策の一つとして、通帳類の製造工程で、通帳類そのものに固有の情報を付与しておくことが考えられる。
【０００４】
この通帳類固有情報と、後から印刷、記録するセキュリティ情報を含む固有記載情報の両方を同時に組み合わせて管理することで、未使用通帳類の盗難で偽造されたセキュリティ通帳類の発見、加えて、変造や全ての偽造通帳類の発見や抑止にも効果がある。
【０００５】
この場合、さらに望ましくは、通帳類固有情報をそのまま、もしくは加工して、後から印刷するセキュリティ情報を含む固有記載情報の一部に加えて印刷、記録することであり、本提案はこの場合に適用される。
【０００６】
ところで、このＩＣチップを実装する通帳類には、通帳類固有情報を事前にＩＣチップに記録するものがある。このＩＣチップに記録された通帳類固有情報は無線ＩＣ Ｒ／Ｗ部で読み取られ、後から印刷されるセキュリティ情報の一部に加えられて印刷、記録されるようになっている（例えば、特許文献１参照。）。
【特許文献１】特開２００２−２８３５９８号公報
【発明の開示】
【発明が解決しようとする課題】
【０００７】
しかしながら、従来においては、通帳類に実装されるＩＣチップに記録されている通帳類固有情報を読み取るのに先立ち、ＩＣチップが正常であるか、否かの判別を行なっていなかった。このため、ＩＣチップが元々故障していた場合には、無線ＩＣ Ｒ／Ｗ部においては正しい通帳類固有情報を読み取ることができなくなり、誤ったデータを送信してしまう。この場合には、通帳類に誤った通帳類固有情報を印刷してしまい、通帳類が無駄になるという問題があった。
【０００８】
本発明は上記事情に着目してなされたもので、その目的とするところは、ＩＣチップに記録された通帳類固有情報を読み取る前に、ＩＣチップが正常であるか否かを事前に判別し、異常である場合には、印刷動作を停止させるようにした通帳類印刷装置及び通帳類印刷装置を提供することにある。
【課題を解決するための手段】
【０００９】
上記課題を解決するため、本発明の通帳類印刷装置は、通帳類に対応する固有情報が記録されたＩＣチップを有する通帳類を搬送する搬送手段と、この搬送手段によって搬送される前記通帳類の前記ＩＣチップとの間で通信し、この通信結果の良否に基づいて前記ＩＣチップが正常、或いは異常であるかを判別し、正常であると判別するのに基づいて前記通帳類に対応する固有情報を読み取り、異常であると判別するのに基づいて前記通帳類に対応する固有情報の読み取りを停止する無線読取手段と、この無線読取手段によって読み取られた前記通帳類に対応する固有情報を前記通帳類に印刷するもので、前記ＩＣチップが異常であると判別されるのに基づいて該ＩＣチップを有する通帳類に対する印刷動作を停止する印刷手段とを具備する。
【００１０】
本発明の通帳類印刷方法は、通帳類に対応する固有情報が記録されたＩＣチップを有する通帳類を搬送し、この搬送される通帳類の前記ＩＣチップとの間で通信し、その通信結果の良否に基づいて前記ＩＣチップが正常、或いは異常であるかを判別し、前記ＩＣチップが正常であると判別されるのに基づいて前記通帳類に対応する固有情報を読み取り、異常であると判別されるのに基づいて前記通帳類に対応する固有情報の読み取りを停止し、
前記通帳類に対応する固有情報が読み取られた場合には、該通帳類に対応する固有情報を前記通帳類に印刷し、前記通帳類に対応する固有情報の読み取りが停止された場合には前記通帳類に対する印刷動作を停止する。
【発明の効果】
【００１１】
本発明によれば、通帳類に誤った通帳類に対応する固有情報を印刷することがなく、通帳類を無駄に消費することがない。
【発明を実施するための最良の形態】
【００１２】
以下、図面を参照して本発明の実施の形態を説明する。  
図１は本発明の一実施の形態である通帳類印刷装置１を示す全体構成図である。
【００１３】
この通帳類印刷装置１は通帳類取込部４を備え、この通帳類取込部４には通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って無線読取手段としての第１の無線ＩＣ Ｒ／Ｗ部５、ページ捲り部６、直接印刷部７、印刷手段としての中間転写印刷部８、ＯＣＲ読取部９、及び無線読取手段としての第２の無線ＩＣ Ｒ／Ｗ部１０が配設されている。
【００１４】
また、第２のＩＣリードライト部１０の排出端側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
【００１５】
図２は、上記した中間転写印刷部８を示すものである。
【００１６】
中間転写印刷部８は機能的に情報印刷部（以下、印刷部という）１６と、オーバーコート転写部（以下、転写部という）１７とを有して構成されている。
【００１７】
印刷部１６としては熱溶融転写印刷方式のものが採用されている。即ち、サーマルヘッド１９とプラテンローラ２０に挟まれるように中間転写フィルム２１と溶融インクリボン２２を配置し、これら中間転写フィルム２１と溶融インクリボン２２によって中間転写フィルム２１の表面に情報等を印刷する。
【００１８】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００１９】
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００２０】
一方、中間転写フィルム２１の後述するベースフィルムの厚さや、受像兼接着総厚は、接着性や膜切れ特性に影響を与えるパラメータであり、中間転写フィルム２１の総厚は、１０〜１００μｍであり、望ましくは２５〜５０μｍである。
【００２１】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°とされている。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２２】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
【００２３】
このため、プラテンローラ２０の下流（ヒートローラ側）直近に別途、フィルム駆動ローラ２３を設ける。フィルム駆動ローラ２３としては硬度３０〜６０度のローラが用いられる。中間転写フィルム２１はフィルム駆動ローラ２３に対して出来るだけ巻付き角が大きいほうが良く、実施例では９０°から１３０°の巻き付き角をえられるようにテンショナ２４を配置する。
【００２４】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００２５】
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００２６】
一方、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００２７】
図３（ａ）〜（ｃ）は中間転写フィルム２１の構成を示す断面図である。
【００２８】
図３（ａ）に示す中間転写フィルム２１は、基材としてのＰＥＴ（ポリエチレンテレフタレート）フィルム２６の表面に、透明樹脂によるホログラム形成層と金属化合物の蒸着層による透明ホログラム層２８、受像層兼接着層としてのポリエステル系樹脂２９を積層したものである。
【００２９】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３０】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３１】
その他、中間転写フィルム２１としては紫外線によって発光する蛍光発色層などの機能層を設け、転写対象への転写と同時にこれらの機能層も転写するものであってもよい。
【００３２】
図６は上記した通帳類取込部４にセットされる通帳類Ｔを開いた状態で示すものである。この通帳類ＴにはＩＣチップ４３が内蔵され、このＩＣチップ４３には予め、通帳類固有情報が記録されている。通帳類固有情報は例えば、「Ａ１Ｂ２Ｃ３Ｄ４Ｅ５」などの固有番号などである。
【００３３】
図７は上記した通帳類印刷装置１の駆動制御系を示すブロック図である。
【００３４】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００３５】
印刷装置１には装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線ＩＣ制御部７３が配設されている。
【００３６】
上記した直接印刷画像処理部６７にはサーマルヘッド７ａの印字動作を制御するヘッド制御部６４が接続されている。中間転写画像処理部６８にはサーマルヘッド１９の印字動作を制御するヘッド制御部６４が接続されている。
【００３７】
ヒータ温度制御部６０には制御回路を介してヒートローラ３５のヒータ６５が接続されている。通帳類搬送制御部６１には制御回路を介して通帳類搬送機構２ａ、通帳類取込機構４ａ、ページ検知部４ｂ、ページ捲り機構６ａ及び排出ゲート制御部１１ａが接続されている。
【００３８】
画像形成制御部６２には制御回路を介して転写リボン搬送機構３２ａ、サーマルヘッド１９を移動させるヘッド昇降機構１９ａ、ヒートローラ３５を回転させる回転機構３５ａが接続されている。
【００３９】
光学式文字認識部６９には読み取り光学系９が接続されている。無線ＩＣ制御部７３には、第1及び第２の無線ＩＣ Ｒ／Ｗユニット５，１０が接続されている。
【００４０】
次に、上記したように構成される通帳類印刷装置１の動作について説明する。
【００４１】
まず、図１に示すように通帳類取込部４から通帳類Ｔが１冊ずつ取出されてページめくり部６に搬送され、ここで、通帳類Ｔの表紙が捲られて所定のページが開いた状態となる。この後、第１の無線ＩＣ Ｒ／Ｗ部５と通帳類ＴのＩＣチップ４３との間で通信処理が行なわれ、この通信処理結果を制御部７３を経由して印刷装置制御部５８に送信し、印刷装置制御部５８でＩＣチップ４３が正常であるか否かが判別される。
【００４２】
即ち、実装されるＩＣチップ４３の仕様によって異なるが、無線ＩＣ Ｒ／Ｗ部５とＩＣチップ４３とは決まったプロトコルにて通信処理が行なわれる。通常、実際のデータ通信を行なう前に、ＩＣチップ４３の活性化等を行ない、仕様に沿った手順で通信を行なうため、その手順を踏む段階でＩＣチップ４３と正常に通信できなかった場合はＩＣチップ４３が異常であることを確認できる。
【００４３】
ＩＣチップ４３に異常があった場合、ＩＣチップ４３に記録されている正常な通帳固有情報を読み取ることができないため、その該当通帳類に関する画像情報は生成することができない。よって、この場合には、ＩＣチップ４３が異常であることをオペレータに通知し、印刷動作が停止される。
【００４４】
一方、ＩＣチップ４３が正常であると判別された場合には、通帳類ＴのＩＣチップ４３に予め記録されている通帳類固有情報が第１の無線ＩＣＲ／Ｗ部５によって読み取られて認識され、この認識結果が印刷装置制御部５８に送信される。
【００４５】
また、印刷装置制御部５８には、画像入力部５６で取得された所持人のカラー顔画像データ、及び操作パネル５５で入力された所持人の記載固有情報としてのセキュリティ文字情報が送信される。
【００４６】
印刷装置制御部５８では、送信されてきたセキュリティ文字情報に通帳類固有情報を加えた印刷データを生成し、この印刷データをカラー顔画像データとともに中間転写画像処理部６８に送信する。
【００４７】
このときには、図２に示すように送出側リール３２から中間転写フィルム２１が繰り出され、そのホログラム位置を示すマークがセンサ３３によって検知される。このマーク検知結果を用いて中間転写フィルム２１が印刷開始位置に制御される。
【００４８】
そして、中間転写画像処理部６８に送信された印刷データとカラー顔画像データに基づいてサーマルヘッド１９が発熱されて中間転写フィルム２１にセキュリティ文字情報と通調理固有情報、さらに、カラー顔画像情報が印刷される。
【００４９】
中間転写フィルム２１はＹ（イエロー），Ｍ（マゼンタ），Ｃ（シアン）の三原色に加えて黒の４色を有し、セキュリティ文字情報と通帳類固有情報は黒印字され、顔画像情報はカラー印刷される。カラー印刷は、Ｙ（イエロー），Ｍ（マゼンタ），Ｃ（シアン）の三原色に加えて黒の４色の重ね合せにより行なわれる。即ち、中間転写フィルム２１がサーマルヘッド１９を色数と同じ回数往復することで、重ね合わせ印刷が行われる。また、印刷される情報は、反転画像であるという特徴がある。なお、印刷色は上記４色に加えて、蛍光顔料を含んだインクなど機能性インクを付与してもよい。
【００５０】
このようにしてセキュリティ文字情報、通帳類固有情報、顔画像情報が印刷された中間転写フィルム２１は順方向（ヒートローラ３５の方向）に巻き取られ、図４（ａ）に示すように経路途中の転写部マーク検知センサ３９によって中間転写フィルム２１の位置が把握される。この把握結果に基づいて転写開始位置まで中間転写フィルム２１が送られる。
【００５１】
また、このとき通帳類Ｔは、転写されるページが開かれた状態で図４（ｂ）に示すように取り込まれて、ヒートローラ３５に対して決められた位置に搬送される。転写されるページは、表紙見返しページでも、他の中紙ページでもかまわない。
【００５２】
このように互いに位置決めされた中間転写フィルム２１と通帳類Ｔの該当ベージは、図４（ｃ）に示すように円周の一部が切り欠かれた形状の金属製ヒートローラ３５の回転と共に合わされ、搬送と同時に加圧されるとともに加熱される。その後、図５に示すように通帳類Ｔに対して６０°〜１１０°の角度をもって転写フィルムベース２６が引き上げられて、セキュリティ文字情報、通帳類固有情報、顔画像情報とともに、受像兼接着層２９、ホログラム層２８の転写が完了し、図８に示すようにセキュリティ情報４６、通帳類固有情報４５、所持人のカラー顔画像４４が印刷される。
【００５３】
セキュリティ情報４６及び通帳類固有情報（Ａ１Ｂ２Ｃ３Ｄ４Ｅ５）４５さらにカラー顔画像情報４４の印刷が完了した通帳類Ｔは、図４（ｄ）に示すようにページが開かれた状態のまま次のＯＣＲ読取部９に搬送されてセキュリティ情報４６及び通帳類固有情報（Ａ１Ｂ２Ｃ３Ｄ４Ｅ５）４５が読み取られる。
【００５４】
ＯＣＲ読取部９で読み取られた通帳類固有情報４５と、セキュリティ情報４６とは光学式文字認識部６９で認識され、この認識結果が印刷装置制御部５８に送信される。印刷装置制御部５８では送信されてきた認識結果と、上記した操作パネル５５で入力された入力情報及びＩＣチップ４３から読み取られた通帳類固有情報とを照合する。照合結果が合致した場合には、通帳類は正常に作成されたものとして第２の無線ＩＣ Ｒ／Ｗ部１０に送られ、ここでさらに追記したい固有情報がある場合には、これをＩＣチップ４３に書き込んで正常通帳集積部１２に集積する。
【００５５】
一方、照合結果が合致しない場合は、何らかの原因から正常な通帳作成がされなかったものと判断して排出ゲート１１によって搬送方向が振り分けられ、ＩＣチップ４３ヘアクセスしないか、もしくは異常通帳であることを示す内容をＩＣチップ４３へ書き込んで不良通帳集積部１３に集積する。
【００５６】
なお、直接印刷部７においては、以下に示すような直接印刷動作を行なうようにしてもよい。
【００５７】
（ａ）図８で示す通帳類の上側ページに、所持人セキュリティ情報に関係しない運用管理番号など、改ざんのメリットがなく、かつ下側ページに加えられない情報を印刷する。
【００５８】
（ｂ）図８で示された薄膜オーバーコート層が付与されるページ以外のページを通帳めくり部６で開き、このページに必要に応じて追加情報などを印刷する。追加情報のセキュリティ重要度が高くない場合、高価なホログラムパターンを持つ薄膜オーバーコートを用いなくても追加情報が印刷可能となり、通帳印刷の運用に自由度が加わる。
【００５９】
また、通帳めくり部６と組み合わされることで、追加情報の有無によらず、通帳の自動作成が可能となる
なお、本実施例では、「直接印刷部７」「中間転写印刷部８」「ＯＣＲ読取部９」「通帳１２，１３」などのユニットは全て動作に依存がないため、印刷機１台として考えれば複数の通帳を同時に処理することが可能である。
【００６０】
上記したように、この実施の形態によれば、ＩＣチップ４３に記録されている通帳類固有情報を読取る前に、ＩＣチップ４３が正常であるか否かを判別し、異常であると判別された場合には、通帳類固有情報を読み取ることなく、その通帳類の印刷を停止する。
【００６１】
従って、異常データをもとに中間転写フィルム２１ヘの印刷動作を行なわないため、中間転写フィルム２１や印刷リボン２２の無駄な消費を抑えることが可能となる。
【００６２】
また、異常データから生成された固有印刷情報が転写された通帳類の作成を防ぐことができる。
【００６３】
さらに、ＩＣチップ４３の異常が検知された通帳類に先行して印刷動作が進められてる通帳類がある場合には、その作成動作を止めずに継続することができ、先行する印刷動作中の通帳類を無駄に破棄してしまうことがない。
【００６４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００６５】
【図１】本発明の一実施の形態である通帳類印刷装置を概略的に示す構成図。
【図２】図１の同通帳類印刷装置に備えられる転写印刷部を示す構成図。
【図３】図２の転写印刷部で用いられる転写フィルムを示すもので、（ａ）はその第１の例、（ｂ）はその第２の例、（ｃ）はその第３の例を示す構成図。
【図４】図２の転写印刷部の転写動作を示す図。
【図５】図２の転写印刷部の転写動作の一部を拡大して示す図。
【図６】図１の通帳類印刷装置で印刷される通帳類を開いた状態で示す平面図。
【図７】図１の通帳類印刷装置の制御部を示すブロック図。
【図８】図１の通帳類印刷装置で印刷された通帳類を示す平面図。
【符号の説明】
【００６６】
２…搬送ローラ対（搬送手段）、５…第１の無線ＩＣ Ｒ／Ｗ部（無線読取手段）、８…中間転写印刷部（印刷手段）、４３…ＩＣチップ、４５…（通帳類固有情報）、Ｔ…通帳類。
【図１】
2007152692.tif 000003
【図２】
2007152692.tif 000004
【図３】
2007152692.tif 000005
【図４】
2007152692.tif 000006
【図５】
2007152692.tif 000007
【図６】
2007152692.tif 000008
【図７】
2007152692.tif 000009
【図８】
2007152692.tif 000010